(57)【要約】  曲面ディスプレイとした場合であっても薄型化及び狭額縁化を実現し、且つ表示品位を良好に保つことができる表示装置を提供する。  一対のガラス基板(１１、１２)を対向させて該ガラス基板(１１、１２)間に液晶を封入してある液晶パネル(１)と、該液晶パネル(１)に対向配置される透光性を有する板状部材(２３)と、前記液晶パネル(１)及び板状部材(２３)間に設けられる光学シート(３)とを備える表示装置において、前記板状部材(２３)はガラス製であり、前記液晶パネル(１)及び板状部材(２３)間に所定の間隙を設けて夫々の周縁部を結合する枠体(４１)を備え、該枠体(４１)は柔軟性を有している。
2016059704.tif 000002
【特許請求の範囲】
【請求項１】
一対のガラス基板を対向させて該ガラス基板間に液晶を封入してある液晶パネルと、該液晶パネルに対向配置される透光性を有する板状部材と、前記液晶パネル及び板状部材間に設けられる光学シートとを備える表示装置において、  前記板状部材はガラス製であり、  前記液晶パネル及び板状部材間に所定の間隙を隔てて夫々の周縁部を結合する枠体を備え、  該枠体は柔軟性を有している  ことを特徴とする表示装置。
【請求項２】
前記液晶パネル及び板状部材は湾曲させてある  ことを特徴とする請求項１に記載の表示装置。
【請求項３】
前記枠体に複数の凹部が設けられている  ことを特徴とする請求項１又は２に記載の表示装置。
【請求項４】
前記複数の凹部は、前記枠体の前記液晶パネル及び板状部材への当接面の一方又は両方に、厚み方向に設けられている  ことを特徴とする請求項３に記載の表示装置。
【請求項５】
前記複数の凹部は、前記枠体の外周面に設けられている  ことを特徴とする請求項３に記載の表示装置。
【請求項６】
前記複数の凹部は、前記枠体の外周縁及び内周縁のいずれか一方又は両方で櫛歯形状をなす  ことを特徴とする請求項１又は２に記載の表示装置。
【請求項７】
前記枠体は多孔質材料からなる  ことを特徴とする請求項１から６のいずれか１つに記載の表示装置。
【発明の詳細な説明】
【技術分野】
【０００１】  本発明は、液晶パネルを用いて画像を表示する表示装置に関し、更なる薄型化及び狭額縁化を実現することができる表示装置に関する。
【背景技術】
【０００２】  液晶パネルを用いた昨今の表示装置においては、表示装置の薄型化のためにエッジライト方式の光源装置が多用されている。エッジライト方式の光源装置は、一広面を液晶パネルに対向させた導光板の一又は複数の側面に発光ダイオード等の光源を所定の間隔を隔てて対向配置し、光源から導光板内部に進入した光を前記一広面から出射させ、均一に液晶パネルに照射させるように構成されている。また液晶パネルと導光板との間に、導光板からの出射光を拡散又は集光させるための光学シートを備える。【０００３】  導光板は多くの場合、ＰＭＭＡ（Poly（methyl methacrylate ））、ＭＳ等の樹脂製のものが用いられる。また光学シートは、ＰＥＴ（Polyethylene terephthalate）等の可撓性のフィルムである。つまり導光板及び光学シートはそれ自体、伸縮及び撓みを起こす性質があり、更に熱膨張係数が高い素材からなるために熱膨張又は熱収縮する。特に光学シートはフィルムであるから皺又は撓みが生じやすい。特許文献１には、樹脂製の導光板とガラス製の液晶パネルとを枠体で空隙を隔てるようにして結合し、空隙内に光学シートを封入し、更に光学シートを導光板に固着することが開示されている。特許文献１に開示された構成は小型の表示装置では問題がないが、大型の表示装置では、導光板、液晶パネル及び光学シートの間の熱膨張係数の相違により、導光板及び光学シートの撓み、更には液晶パネルと導光板との剥離若しくは導光板と光学シートと剥離、又は光学シートの皺が発生し、表示装置の不具合を発生させる虞がある。【０００４】  したがって、樹脂製の導光板及び光学シートを用いる大型の表示装置では、これらの導光板及び光学シートを熱膨張分のゆとりを持たせて液晶パネルに対し位置決めして保持する保持部材を必要とする。導光板及び光学シートの保持部材は例えば、夫々の外周よりも大きいサイズの枠体であり、厚みも夫々よりも厚い。更に表示装置では、これらの保持部材を覆う所謂ベゼルが設けられる。【０００５】  表示装置の分野においては更に、液晶パネルを使用した曲面ディスプレイが実用化されている。特許文献２では、曲面ディスプレイにおける液晶パネルを湾曲させるに際し、部材間の剥離、歪み等による不具合の発生を防止するための提案がなされている。
【先行技術文献】
【特許文献】
【０００６】
【特許文献１】特開２００７−２３２８０９号公報
【特許文献２】特開２０１０−０２６３７２号公報
【発明の概要】
【発明が解決しようとする課題】
【０００７】  昨今の表示装置における液晶パネルの画素領域と本体外周との間の額縁領域を可及的に狭くする狭額縁化が求められている。狭額縁化にはデザイン性の向上の他に、複数の表示装置を並設して構成するマルチディスプレイシステムにおいて表示装置間の境界を目立たなくすることができるという利点がある。しかしながら前述のような保持構造を有する表示装置では、保持部材の肉厚分により薄型化が不十分であり、保持部材の大きさと導光板又は光学シートの外周との差分により狭額縁化も不十分である。【０００８】  更に曲面ディスプレイを構成する場合、導光板、及び光学シート自体の熱膨張等の変形を鑑みた上で曲板構造としなければならないため、曲面ディスプレイの薄型化及び狭額縁化は困難である。特許文献２には液晶パネルを湾曲させる際の不具合の発生を防止する提案がなされているが、曲面の液晶パネルに沿わせるべき導光板と前記液晶パネルとの間の位置決めに係る構成については言及されていない。【０００９】  本発明は斯かる事情に鑑みてなされたものであり、曲面ディスプレイとした場合であっても薄型化及び狭額縁化を実現し、且つ表示品位を良好に保つことができる表示装置を提供することを目的とする。
【課題を解決するための手段】
【００１０】  本発明に係る表示装置は、一対のガラス基板を対向させて該ガラス基板間に液晶を封入してある液晶パネルと、該液晶パネルに対向配置される透光性を有する板状部材と、前記液晶パネル及び板状部材間に設けられる光学シートとを備える表示装置において、前記板状部材はガラス製であり、前記液晶パネル及び板状部材間に所定の間隙を設けて夫々の周縁部を結合する枠体を備え、該枠体は柔軟性を有していることを特徴とする。【００１１】  本発明に係る表示装置は、前記液晶パネル及び板状部材は湾曲させてあることを特徴とする。【００１２】  本発明に係る表示装置は、前記枠体に複数の凹部が設けられていることを特徴とする。【００１３】  本発明に係る表示装置は、前記複数の凹部は、前記枠体の前記液晶パネル及び板状部材への当接面の一方又は両方に、厚み方向に設けられていることを特徴とする。【００１４】  本発明に係る表示装置は、前記複数の凹部は、前記枠体の外周面に設けられていることを特徴とする。【００１５】  本発明に係る表示装置は、前記複数の凹部は、前記枠体の外周縁及び内周縁のいずれか一方又は両方に櫛歯形状をなすことを特徴とする。【００１６】  本発明に係る表示装置は、前記枠体は多孔質材料からなることを特徴とする。【００１７】  本発明では、導光板として用いられる透光性の板状部材をガラス製とする。これにより、熱膨張、熱収縮又は剛性等の性質が同様であるために導光板及びガラス基板を結合して一体的に扱うことができる。導光板は液晶パネルに結合されるから、導光板を液晶パネルに対して位置決めするための保持構造は不要である。また光学シートも、導光板と液晶パネルとを結合する枠体内の間隙に介装されるため、光学シートを液晶パネル又は導光板に対して位置決めするための保持構造も不要である。またガラスは、ＰＭＭＡ、ＭＳ等の樹脂よりも剛性が高いために導光板の形状（平坦又は曲面）を維持でき、形状を保持するための保持部材も不要である。しかも、枠体内に適切な所定の間隙が設けられてあることにより、光学シートは枠体内で熱膨張が可能であるから、光学シートの皺又は撓みの発生が防止される。更に本発明では、枠体は柔軟性を有するものとすることにより、液晶パネル及び導光板を一体に扱って湾曲させたとしても、枠体自体の破損、液晶パネル又は導光板からの剥離等の可能性が低減される。【００１８】  本発明では、枠体には凹部が複数設けられている。液晶パネルと導光板とを結合する枠体が、液晶パネル側で収縮し、導光板側で伸長したとしても、又は逆であっても、枠体に設けられた凹部が縮小するか又は拡大することで伸縮の相違が吸収され、破損又は剥離が防止される。【００１９】  本発明では、凹部は枠体の液晶パネル又は導光板への当接面の一方又は両方に、厚み方向に凹むように設けられてもよい。表示装置の厚み方向の凹部により、液晶パネルとの当接面が収縮し、導光板との当接面が伸長したとしても、又は逆であっても、凹部が縮小するか又は拡大することで伸縮の相違が吸収され、破損又は剥離が防止される。【００２０】  本発明では、複数の凹部は枠体の外周面に、表示装置の厚みと直交する方向に凹むように設けられていてもよい。枠体が液晶パネル側で収縮し��導光板側で伸長したとしても、又は逆であっても、枠体に設けられた凹部による空間が縮小するか又は拡大することで伸縮の相違が吸収され、破損又は剥離が防止される。【００２１】  本発明では、複数の凹部は前記枠体の外周縁及び内周縁のいずれか一方又は両方で櫛歯形状をなすように設けられてもよい。枠体が液晶パネル側で収縮し、導光板側で伸長したとしても、又は逆であっても、櫛歯間の隙間が縮小するか又は拡大することで伸縮の相違が吸収され、破損又は剥離が防止される。【００２２】  本発明では、枠体は多孔質材料からなる。液晶パネルと導光板とを結合する枠体が、液晶パネル側で収縮し、導光板側で伸長したとしても、又は逆であっても、枠体内の空洞が一部で縮小し他部で拡大することで伸縮の相違が吸収され、破損又は剥離が防止される。
【発明の効果】
【００２３】  本発明による場合、内部で熱膨張可能な状態のままで光学シートを封入するための枠体を介在させて液晶パネルと導光板とを結合して薄型化及び狭額縁化を実現することができると共に、液晶パネルを湾曲させた場合に前記枠体の破損又は剥離の可能性を低減することが可能となる。これにより、薄型化及び狭額縁化を実現した上で、曲面ディスプレイとした場合であっても表示品位を良好に保つことができることができる。
【図面の簡単な説明】
【００２４】
【図１】実施の形態１における表示装置の要部を模式的に示す分解斜視図である。
【図２】変形させた液晶パネル、導光板及び枠体を模式的に示す斜視図である。
【図３】図２のＡ−Ａ´線による模式断面図である。
【図４】図２のＢ−Ｂ´線による模式断面図である。
【図５】実施の形態１における他形状の枠体の模式断面図である。
【図６】変形例１における枠体の模式斜視図である。
【図７】変形例１における液晶パネル、導光板及び枠体の模式断面図である。
【図８】変形例１の他形状の枠体を示す模式斜視図である。
【図９】他形状の枠体と液晶パネル、及び導光板の模式断面図である。
【図１０】変形例２における枠体の模式斜視図である。
【図１１】変形例２における液晶パネル、導光板及び枠体の模式断面図である。
【図１２】実施の形態２における表示装置の要部を模式的に示す分解斜視図である。
【図１３】実施の形態２において変形させた液晶パネル、導光板及び枠体を模式的に示す斜視図である。
【図１４】図１３のＣ−Ｃ´線による模式断面図である。
【図１５】図１３のＤ−Ｄ´線による模式断面図である。
【発明を実施するための形態】
【００２５】  以下に、本発明の実施の形態について図面に基づき具体的に説明する。なお、以下に示す実施の形態は例示であって、本発明は以下の構成に限られないことは勿論である。
【００２６】  （実施の形態１）  図１は、実施の形態１における表示装置１００の要部を模式的に示す分解斜視図である。表示装置１００は、液晶パネル１、発光ダイオード２１、基板２２、導光板２３、反射シート２４、光学シート３及び枠体４１を備える。
【００２７】  液晶パネル１は表示パネルであり、矩形の平板状をなす。液晶パネル１はアクティブマトリクス方式を採用している。液晶パネル１は、所定の間隙を隔てて対向配置された２つのガラス基板１１，１２の間に液晶１３（図３、４参照）が注入され、封止材１４（図３、４参照）により封止されて構成される。なおガラス基板１１，１２の内、一方のガラス基板１１の長手方向の長さは他方のガラス基板１２よりも少し短い。
【００２８】  発光ダイオード２１は、青色又は紫外光を発光するダイオードの表面に蛍光体が塗布されることで白色光を発する発光素子である。基板２２は短冊状の板であり、一面に発光ダイオード２１が該基板２２の長さ方向に並設されてある。また基板２２には、発光ダイオード２１の点灯を制御する回路が形成されている。
【００２９】  導光板２３は透光性を有する板状部材であり、実施の形態１では矩形状のガラス板である。導光板２３の広面は液晶パネル１、特にガラス基板１２の広面と略同寸同形である。導光板２３の一広面側には、散乱ドットが印刷又はレーザ加工により形成されている。導光板２３の厚みは基板２２の幅と略等しい。反射シート２４は、ＰＥＴフィルムを基材として金属膜等を反射層として積層した光学シートである。反射シート２４の大きさは導光板２３の広面と略等しい。
【００３０】  光学シート３は、ＰＥＴフィルムを基材とした矩形状シート群であり、例えばレンズシート、プリズムシート、及び拡散シートからなる光学シート群である。光学シート３の大きさは、導光板２３の広面よりも少し小さい。
【００３１】  枠体４１は、例えば、ＰＥＴ、ＰＣ（ポリカーボネート、好ましくはガラス入りポリカーボネート（ＰＣ＋ＧＦ））、ＡＢＳ等の樹脂製である。枠体４１の材料は、ガラスと同等又はガラスに近い熱膨張率の材料であることが望ましい。枠体４１の外形は、導光板２３の広面と略等しいか、又は少し小さい矩形状である。枠体４１の両面の内、長手方向に沿う面には、枠体４１を短手方向に矩形状に切り欠くようにして形成された厚み方向に凹む凹部が複数設けられている。複数の凹部は、長手方向に沿って等間隔に設けられている。枠体４１の両面（凹部を除く）にはガラスと接着するための両面テープ、又はＯＣＡ（Optically Clear Adhesive）テープが接着されるか、又はＵＶ硬化性樹脂等の接着剤が塗布される。なお枠体４１自体が接着材料であってもよい。
【００３２】  液晶パネル１、発光ダイオード２１が実装されてある基板２２、導光板２３、反射シート２４、光学シート３及び枠体４１は、導光板２３を基準として以下のように組み立てられ、表示装置１００を構成する。
【００３３】  導光板２３の散乱ドットが形成されていない側の広面上に枠体４１が設置される。このとき枠体４１と導光板２３とは、枠体４１に接着されてある接着材料又は枠体４１自身により接着される。次に、図１中に白抜矢印により示す如く、光学シート３が枠体４１の内部に設置される。枠体４１の内周は、内部に設置される光学シート３よりも少し大きく、枠体４１の厚みは光学シート３のシート厚よりも少し厚い。枠体４１の内周及び厚みは、光学シート３の熱膨張を考慮した所定間隔を面方向及び厚み方向に隔てて光学シート３を囲繞するように設定してある。次に、液晶パネル１が設置される。液晶パネル１はガラス基板１２側の広面の周縁部が枠体４１に当接するように枠体４１上に設置される。ガラス基板１２と枠体４１とも接着材料又は枠体４１自身により接着される。これにより、光学シート３が枠体４１内に熱膨張可能な状態で封入され、液晶パネル１及び導光板２３が一体的に構成される。
【００３４】  次に枠体４１を介装させて一体化した液晶パネル１及び導光板２３を、液晶パネル１の表示面が凹となるように湾曲変形させる。図２は、変形させた液晶パネル１、導光板２３及び枠体４１を模式的に示す斜視図であり、図３は、図２のＡ−Ａ´線による模式断面図、図４は、図２のＢ−Ｂ´線による模式断面図である。実施の形態１における導光板２３は液晶パネル１同様にガラス板であるから一体に湾曲変形が可能である。
【００３５】  枠体４１を介装させて結合された液晶パネル１及び導光板２３を湾曲変形させるに際し、枠体４１の破損又は剥離が問題となる。しかしながら枠体４１は、液晶パネル１及び導光板２３との当接面の両方に、凹部が設けられており、この凹部は図３に示す如く液晶パネル１側及び導光板２３側に夫々、湾曲方向に沿って形成されている。枠体４１の凹部は夫々、湾曲変形に際して液晶パネル１側で縮小し、導光板２３側で伸長するが、凹部が夫々縮小又は拡大することによって伸縮の相違が吸収される。つまり枠体４１は形状によって柔軟性を有し、これにより枠体４１自身の破損及び枠体４１の液晶パネル１又は導光板２３からの剥離が防止される。
【００３６】  このように結合された液晶パネル１及び導光板２３に対し、導光板２３の短辺側の両端面に、発光ダイオード２１が実装された基板２２を対向配置させ（図２では省略）、導光板２３の散乱ドット側の広面に反射シート２４を配置し、これにより表示装置１００が構成される。
【００３７】  このように構成される表示装置１００においては、発光ダイオード２１からの光が導光板２３の短辺側の両端面から内部へ進入し、各面における部分反射、又は反射シート２６による全反射により内部を進行する。内部を進行した光は、散乱ドットにおける散乱によって反射シート２４の反対側の広面に臨界角よりも小さい角度で達した場合に出射される。これにより、導光板２３の前記広面の各箇所から均一に光が出射され、出射光は更に光学シート３の一面に入射され、より均一な輝度分布を持つ平面光として光学シート３の他面から出射される。これにより、光学シート３から液晶パネル１へ均一な照度の光が照射される。
【００３８】  従来の表示装置では、導光板にはアクリル樹脂が多用されてきた。液晶パネルの基板の素材であるガラスと、導光板の素材であるアクリル樹脂とでは膨張係数が異なり、光源からの熱によって膨張量に差異が生じる。膨張量の差異は小型の表示装置では問題にならないが、大型の表示装置では差異が大きくなるために、液晶パネルと導光板とを接着して固定させた場合、液晶パネルと導光板とが剥離する虞があり、また接着強度が高いときには導光板が撓む可能性がある。更に曲面ディスプレイとした場合、熱膨量の差異は面方向ののみならず、厚み方向でも大きくなり、装置の破損が懸念される。これに対し、実施の形態１に示した表示装置１００では、導光板２３をガラス製とし、図４に示したように光学シート３を枠体４１内に熱膨張が可能な状態で封入して液晶パネル１と導光板２３とを接着により結合した。液晶パネル１のガラス基板１１，１２と導光板２３とは熱膨張係数が等しいから熱膨張量の差異は発生しない。液晶パネル１と導光板２３とを結合したことにより、液晶パネルに対して導光板２３を位置決めするための保持部材は不要である。また光学シート３も枠体４１内に封入されているので、光学シート３を位置決めするための保持部材も不要である。これにより保持部材の肉厚分だけ薄型化が可能であり、また保持部材の外周と導光板２３又は光学シート３の外周との差分だけ狭額縁化が可能である。また、結合された液晶パネル１及び導光板２３はガラス製であるから剛性が樹脂よりも高く、液晶パネル１及び導光板２３を囲繞するような特別な保持構造無しでも曲面の維持が可能であるから、曲面ディスプレイの薄型化及び狭額縁化が可能となる。更に、液晶パネル１及び導光板２３を結合することで、樹脂製の導光板を用いる場合よりも曲面ディスプレイの製造が容易である。また、導光板２３と液晶パネル１とを接着する枠体４１を、枠体４１に柔軟性を持たせる形状としたことにより、枠体４１の破損及び剥離等を防止して不具合の発生を防止し、表示品位を良好に保つことが可能となる。
【００３９】  複数の凹部は液晶パネル１及び導光板２３への当接面の内の一方のみに設けられる構成としてもよい。図５は、実施の形態１における他形状の枠体４２の模式断面図である。枠体４２は例えば、ＰＥＴ、ＰＣ、ＡＢＳ等の樹脂製であり、枠体４２の材料は、ガラスと同等又はガラスに近い熱膨張率の材料であることが望ましい。枠体４２の外形は、導光板２３の広面と略等しいか少し小さい。他形状の枠体４２は、液晶パネル１及び導光板２３への当接面の両方に凹部が設けられる実施の形態１における枠体４１と異なり、図５に示す如く湾曲したときに凸になる導光板２３側の面のみに凹部が設けられている形状をなす。枠体４２の複数の凹部は夫々、液晶パネル１及び導光板２３の湾曲変形に際して導光板２３側で拡大する。これにより、湾曲変形による液晶パネル１側の面と導光板２３側の面における伸縮の相違が吸収される。つまり枠体４２は形状によって柔軟性を有し、これにより枠体４２自身の破損及び枠体４２の液晶パネル１又は導光板２３からの剥離が防止される。
【００４０】  枠体４１及び枠体４２の凹部の形状は矩形状のみならず、波型等でもよく、液晶パネル１及び導光板２３の湾曲形状に対応できる程度に柔軟性を持たせることができる他の形状であってよい。
【００４１】  （変形例１）  図６は、変形例１における枠体４３の模式斜視図であり、図７は、変形例１における液晶パネル１、導光板２３及び枠体４３の模式断面図である。枠体４３は、枠体４１同様にＰＥＴ、ＰＣ、ＡＢＳ等の樹脂製であり、枠体４３の材料は、ガラスと同等又はガラスに近い熱膨張率の材料であることが望ましい。枠体４３の外形は、導光板２３の広面と略等しいか少し小さい。変形例１における枠体４３は、外周縁の全周に亘って図６に示す如く櫛歯部分を有する。
【００４２】  枠体４３の外周縁の櫛歯部分は図７に示す如く湾曲方向に沿って間隔を有している。枠体４３の櫛歯部分の間隔夫々は湾曲変形に際し、液晶パネル１側で縮小し、導光板２３側で伸長するが、櫛歯部分の間隔が縮小又は拡大することによって伸縮の相違が吸収される。つまり枠体４３は形状によって柔軟性を有し、これにより枠体４３自身の破損及び枠体４３の液晶パネル１又は導光板２３からの剥離が防止される。
【００４３】  なお櫛歯部分は、枠体４４の長手方向のみに設けられていてもよい。図８は、変形例１の他形状の枠体４４を示す模式斜視図であり、図９は他形状の枠体４４と液晶パネル１、及び導光板２３の模式断面図である。図８及び図９に示す如く、櫛歯部分は凹部が角部に対応するように形成されていてもよい。
【００４４】  （変形例２）  図１０は、変形例２における枠体４５の模式斜視図であり、図１１は、変形例２における液晶パネル１、導光板２３及び枠体４５の模式断面図である。枠体４５は、枠体４１同様にＰＥＴ、ＰＣ、ＡＢＳ等の樹脂製であり、枠体４５の材料は、ガラスと同等又はガラスに近い熱膨張率の材料であることが望ましい。枠体４５の外形は、導光板２３の広面と略等しいか少し小さい。変形例２における枠体４５は、図１０及び図１１に示す如く、枠体４５の長手方向に沿う一部の外周面に複数の凹部を有する。複数の凹部は、長手方向に沿って等間隔に設けられている。複数の凹部は枠体４５を貫通する孔状であっても、外側を窪ませた凹部であってもよい。
【００４５】  枠体４５の複数の凹部は夫々、液晶パネル１及び導光板２３の湾曲変形に際して液晶パネル１側で縮小して導光板２３側で拡大する。これにより、湾曲変形による液晶パネル１側の面と導光板２３側の面における伸縮の相違が吸収される。つまり枠体４５は形状によって柔軟性を有し、これにより枠体４５自身の破損及び枠体４５の液晶パネル１又は導光板２３からの剥離が防止される。
【００４６】  （実施の形態２）  図１２は、実施の形態２における表示装置１００の要部を模式的に示す分解斜視図である。実施の形態２において、表示装置１０１は、液晶パネル１、発光ダイオード２１、基板２２、導光板２３、反射シート２４、光学シート３及び枠体５を備える。実施の形態２における表示装置１０１の枠体５以外の構成は実施の形態１における構成と同様であるから、共通する構成には同一符号を付して詳細な説明を省略する。
【００４７】  枠体５は例えば、ウレタン樹脂等の多孔質材料で形成されてある。枠体５の外形は、導光板２３の広面と略等しいか又は少し小さい。枠体５の内周は内部に設置される光学シート３よりも少し大きく、枠体５の厚みは光学シート３のシート厚よりも少し厚い。枠体５は、液晶パネル１と導光板２３との間に介装されて液晶パネル１と導光板２３とを結合する。枠体５の内部には、図１２中に白抜矢印により示す如く光学シート３が設置される。枠体５の内周及び厚みは、光学シート３の熱膨張を考慮した所定間隔を面方向及び厚み方向に隔てて光学シート３を囲繞するように設定してある。枠体５の両面にはガラスと接着するための両面テープ若しくはＯＣＡテープが接着されてもよいし、ＵＶ硬化性樹脂等の接着剤が塗布されてもよいし、又は枠体５自体が接着材料であってもよい。
【００４８】  次に、枠体５を介装させて結合した液晶パネル１及び導光板２３は、液晶パネル１の表示面が凹となるように湾曲変形させる。図１３は、実施の形態２において変形させた液晶パネル１、導光板２３及び枠体５を模式的に示す斜視図であり、図１４は、図１３のＣ−Ｃ´線による模式断面図、図１５は、図１３のＤ−Ｄ´線による模式断面図である。
【００４９】  枠体５は多孔質材料から形成されているので、図１４及び図１５に示す如く内部に多数の空洞を有している。枠体５は、結合された液晶パネル１及び導光板２３を湾曲変形させるに際し、液晶パネル１側で縮小し、導光板２３側で伸長するが、内部の多数の空洞が縮小又は拡大することによって伸縮の相違が吸収される。つまり枠体５は材料によって柔軟性を有し、これにより枠体５自身の破損及び枠体５の液晶パネル１又は導光板２３からの剥離が防止される。
【００５０】  このように結合された液晶パネル１及び導光板２３に対し、導光板２３の短辺側の両端面に、発光ダイオード２１が実装された基板２２を対向配置させ（図１３では省略）、導光板２３の散乱ドット側の広面の反射シート２４を配置し、これにより表示装置１０１が構成される。
【００５１】  表示装置１０１においても、図１５に示したように光学シート３を枠体５内に熱膨張が可能な状態で封入して液晶パネル１と導光板２３とを接着により結合した。表示装置１０１においても、一体化させた液晶パネル１のガラス基板１１，１２と導光板２３とは熱膨張係数が等しいから熱膨張量の差異は発生しない。液晶パネル１と導光板２３とを結合させたことにより、液晶パネル１に対して導光板２３を位置決めするための保持部材は不要である。また光学シート３も枠体５内に封入されているので、光学シート３を位置決めするための保持部材も不要である。これにより保持部材の肉厚分だけ薄型化が可能であり、また保持部材の外周と導光板２３又は光学シート３の外周との差分だけ狭額縁化が可能である。また、結合された液晶パネル１及び導光板２３はガラス製であるから剛性が樹脂よりも高く、液晶パネル１及び導光板２３を囲繞するような特別な保持構造無しでも曲面の維持が可能であるから、曲面ディスプレイの薄型化及び狭額縁化が可能となる。更に、液晶パネル１及び導光板２３を結合することで、樹脂製の導光板を用いる場合よりも曲面ディスプレイの製造が容易である。また、導光板２３と液晶パネル１とを接着する枠体５に、多孔質性材料を用いて柔軟性を持たせたことにより、枠体５の破損及び剥離等を防止して不具合の発生を防止し、表示品位を良好に保つことが可能となる。
【００５２】  なお実施の形態１における多孔質材料からなる枠体５についても、実施の形態１同様に、外周縁及び内周縁のいずれか一方、又は両方に櫛歯部分をなすようにしてもよい。
【００５３】  実施の形態１及び２では、表示装置１００，１０１はいずれも、液晶パネル１の表示面が凹となるように湾曲した曲面ディスプレイとして構成された。しかしながら液晶パネル１の表示面が凸となるように湾曲させてもよい。また、湾曲変形させずに平面ディスプレイとして構成してもよいことは勿論である。
【００５４】  開示された実施の形態は、全ての点で例示であって制限的なものではないと考えられるべきである。本発明の範囲は上述の説明ではなくて請求の範囲によって示され、請求の範囲と均等の意味及び範囲内での全ての変更が含まれることが意図される。
【符号の説明】
【００５５】  １００，１０１  表示装置  １  液晶パネル  ２３  導光板  ３  光学シート  ４１，４２，４３，４４，４５，５  枠体
【図１】
2016059704.tif 000003
【図２】
2016059704.tif 000004
【図３】
2016059704.tif 000005
【図４】
2016059704.tif 000006
【図５】
2016059704.tif 000007
【図６】
2016059704.tif 000008
【図７】
2016059704.tif 000009
【図８】
2016059704.tif 000010
【図９】
2016059704.tif 000011
【図１０】
2016059704.tif 000012
【図１１】
2016059704.tif 000013
【図１２】
2016059704.tif 000014
【図１３】
2016059704.tif 000015
【図１４】
2016059704.tif 000016
【図１５】
2016059704.tif 000017
【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
一対のガラス基板を対向させて該ガラス基板間に液晶を封入してある液晶パネルと、該液晶パネルに対向配置される透光性を有する導光板と、前記液晶パネル及び導光板間に設けられる光学シートとを備える表示装置において、
前記導光板はガラス製であり、
前記液晶パネル及び導光板間に所定の間隙を隔てて夫々の周縁部を結合する枠体を備え、
該枠体は柔軟性を有している
ことを特徴とする表示装置。
【請求項２】
前記液晶パネル及び導光板は湾曲させてある
ことを特徴とする請求項１に記載の表示装置。
【請求項３】
前記枠体に複数の凹部が設けられている
ことを特徴とする請求項１又は２に記載の表示装置。
【請求項４】
前記複数の凹部は、前記枠体の前記液晶パネル及び導光板への当接面の一方又は両方に、厚み方向に設けられている
ことを特徴とする請求項３に記載の表示装置。
【請求項５】
前記複数の凹部は、前記枠体の外周面に設けられている
ことを特徴とする請求項３に記載の表示装置。
【請求項６】
前記複数の凹部は、前記枠体の外周縁及び内周縁のいずれか一方又は両方で櫛歯形状をなす
ことを特徴とする請求項３に記載の表示装置。
【請求項７】
前記枠体は多孔質材料からなる
ことを特徴とする請求項１から６のいずれか１つに記載の表示装置。
【国際調査報告】
2016059704.tif 000018
2016059704.tif 000019
2016059704.tif 000020
2016059704.tif 000021